【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
空調システムの複数の運転パターンの中からユーザが選択したものを、当該運転パターンに対応する表示形態として、表示手段に表示された曜日毎及び／又は日付毎の時間軸上に時系列的に表示させる表示制御部と、
前記時間軸上に表示される前記表示形態の種類及び位置に基づいて、前記空調システムの運転スケジュールを設定する運転スケジュール設定部と、を備え、
前記表示制御部は、複数の前記運転パターンと一対一で対応する複数種類の前記表示形態を、色の違い及び／又は形の違いとして区別するように前記表示手段に表示させ、
複数種類の前記表示形態が、少なくとも色の違いとして区別される場合において、２つ以上の前記運転パターンの組合せに基づく所定の運転パターンが存在するとき、前記表示制御部は、２つ以上の前記運転パターンの組合せに対応する２種類以上の前記表示形態の色の組合せを、前記所定の運転パターンに対応する前記表示形態として、前記表示手段に表示させること
を特徴とする空調管理装置。
【請求項２】
空調システムの複数の運転パターンの中からユーザが選択したものを、当該運転パターンに対応する表示形態として、表示手段に表示された曜日毎及び／又は日付毎の時間軸上に時系列的に表示させる表示制御部と、
前記時間軸上に表示される前記表示形態の種類及び位置に基づいて、前記空調システムの運転スケジュールを設定する運転スケジュール設定部と、を備え、
前記表示制御部は、複数の前記運転パターンと一対一で対応する複数種類の前記表示形態を、色の違い及び／又は形の違いとして区別するように前記表示手段に表示させ、
複数種類の前記表示形態が、少なくとも色の違いとして区別される場合において、前記表示制御部は、前記空調システムの空調能力を調整する能力調整用の前記運転パターンにおける前記空調能力の大きさを、当該運転パターンに対応する前記表示形態の色の濃さとして表すこと
を特徴とする空調管理装置。
【請求項３】
前記表示制御部は、前記表示手段に表示された曜日及び／又は日付である複数の日のうち、ユーザによって選択された日の前記運転スケジュールの詳細情報を表示させるか否かを切り替える切替ボタンを前記表示手段に表示させ、前記切替ボタンの操作に基づいて前記詳細情報を前記表示手段に表示させる場合、前記詳細情報とともに、前記時間軸上に表示された前記表示形態も一画面で表示させること
を特徴とする請求項１又は請求項２に記載の空調管理装置。
【請求項４】
ポインティングデバイスを介した操作によって、前記表示手段の画面上のカーソルが前記時間軸上の所定位置にある状態で、当該所定位置を指定する操作が所定時間以上続けられたか、
又は、
タッチパルネル式の前記表示手段において、ユーザの指が前記所定位置に前記所定時間以上留まっている場合、
前記表示制御部は、前記所定位置に対応する時刻を開始時とする前記運転パターンの選択画面を前記表示手段に表示させること
を特徴とする請求項１又は請求項２に記載の空調管理装置。
【請求項５】
所定の前記表示形態の前記時間軸上の位置がユーザの操作によって変更された場合、前記運転スケジュール設定部は、当該表示形態に対応する前記運転パターンの開始時刻を、前記位置に基づいて変更すること
を特徴とする請求項１又は請求項２に記載の空調管理装置。
【請求項６】
前記空調システムは、室外ユニットと、複数の室内ユニットと、を備えるマルチ型の空調システムであり、
複数の前記室内ユニットは、一つ又は複数のグループとしてグループ化されており、
前記グループのそれぞれに、複数の前記運転パターンが設定されていること
を特徴とする請求項１又は請求項２に記載の空調管理装置。
【請求項７】
前記表示制御部は、前記運転パターン毎の設定変更ボタンを前記表示手段に表示させ、前記設定変更ボタンがユーザの操作によって選択された場合、当該設定変更ボタンに対応する前記運転パターンの設定変更画面を前記表示手段に表示させ、
前記運転スケジュール設定部は、ユーザの操作によって前記運転パターンが設定変更された場合、所定の前記グループにおいて既に設定された前記運転スケジュールに含まれる当該運転パターンの内容を一括して変更すること
を特徴とする請求項６に記載の空調管理装置。
【請求項８】
空調システムの複数の運転パターンの中からユーザが選択したものを、当該運転パターンに対応する表示形態として、表示手段に表示された曜日毎及び／又は日付毎の時間軸上に時系列的に表示させる表示制御処理と、
前記時間軸上に表示される前記表示形態の種類及び位置に基づいて、前記空調システムの運転スケジュールを設定する運転スケジュール設定処理と、を含み、
前記表示制御処理では、複数の前記運転パターンと一対一で対応する複数種類の前記表示形態を、色の違い及び／又は形の違いとして区別するように前記表示手段に表示させ、
複数種類の前記表示形態が、少なくとも色の違いとして区別される場合において、２つ以上の前記運転パターンの組合せに基づく所定の運転パターンが存在するとき、前記表示制御処理では、２つ以上の前記運転パターンの組合せに対応する２種類以上の前記表示形態の色の組合せを、前記所定の運転パターンに対応する前記表示形態として、前記表示手段に表示させること
を特徴とする空調管理方法。
【請求項９】
空調システムの複数の運転パターンの中からユーザが選択したものを、当該運転パターンに対応する表示形態として、表示手段に表示された曜日毎及び／又は日付毎の時間軸上に時系列的に表示させる表示制御処理と、
前記時間軸上に表示される前記表示形態の種類及び位置に基づいて、前記空調システムの運転スケジュールを設定する運転スケジュール設定処理と、を含み、
前記表示制御処理では、複数の前記運転パターンと一対一で対応する複数種類の前記表示形態を、色の違い及び／又は形の違いとして区別するように前記表示手段に表示させ、
複数種類の前記表示形態が、少なくとも色の違いとして区別される場合において、前記表示制御処理では、前記空調システムの空調能力を調整する能力調整用の前記運転パターンにおける前記空調能力の大きさを、当該運転パターンに対応する前記表示形態の色の濃さとして表すこと
を特徴とする空調管理方法。
【手続補正２】
【補正対象書類名】明細書
【補正対象項目名】０００６
【補正方法】変更
【補正の内容】
【０００６】
前記課題を解決するために、本発明は、空調システムの複数の運転パターンの中からユーザが選択したものを、当該運転パターンに対応する表示形態として、表示手段に表示された曜日毎及び／又は日付毎の時間軸上に時系列的に表示させる表示制御部と、前記時間軸上に表示される前記表示形態の種類及び位置に基づいて、前記空調システムの運転スケジュールを設定する運転スケジュール設定部と、を備え、前記表示制御部は、複数の前記運転パターンと一対一で対応する複数種類の前記表示形態を、色の違い及び／又は形の違いとして区別するように前記表示手段に表示させ、複数種類の前記表示形態が、少なくとも色の違いとして区別される場合において、２つ以上の前記運転パターンの組合せに基づく所定の運転パターンが存在するとき、前記表示制御部は、２つ以上の前記運転パターンの組合せに対応する２種類以上の前記表示形態の色の組合せを、前記所定の運転パターンに対応する前記表示形態として、前記表示手段に表示させることを特徴とする。
また、本発明は、空調システムの複数の運転パターンの中からユーザが選択したものを、当該運転パターンに対応する表示形態として、表示手段に表示された曜日毎及び／又は日付毎の時間軸上に時系列的に表示させる表示制御部と、前記時間軸上に表示される前記表示形態の種類及び位置に基づいて、前記空調システムの運転スケジュールを設定する運転スケジュール設定部と、を備え、前記表示制御部は、複数の前記運転パターンと一対一で対応する複数種類の前記表示形態を、色の違い及び／又は形の違いとして区別するように前記表示手段に表示させ、複数種類の前記表示形態が、少なくとも色の違いとして区別される場合において、前記表示制御部は、前記空調システムの空調能力を調整する能力調整用の前記運転パターンにおける前記空調能力の大きさを、当該運転パターンに対応する前記表示形態の色の濃さとして表すことを特徴とする。